(57)【要約】【課題】各々の画像について、ユーザが公開・非公開の設定を行わなくても、公開・非公開を所定のルールに従って自動的に決定することができる画像公開装置を提供する。【解決手段】画像公開装置は、ユーザが所有する画像を保存する画像保存部と、画像保存部に保存された各々の画像に対して複数の画像解析処理を実施する画像解析部と、画像解析部による各々の画像に対する各々の画像解析処理の結果に基づいて、各々の画像の公開、非公開を決定する公開・非公開決定部とを備える。【選択図】図２
2013191035.tif 000002
【特許請求の範囲】
【請求項１】
ユーザが所有する画像を保存する画像保存部と、
前記画像保存部に保存された各々の画像に対して複数の画像解析処理を実施する画像解析部と、
前記画像解析部による各々の画像に対する各々の画像解析処理の結果に基づいて、前記各々の画像の公開、非公開を決定する公開・非公開決定部とを備えることを特徴とする画像公開装置。
【請求項２】
前記画像解析部は、前記各々の画像に対する各々の画像解析処理の結果にスコアを付け、前記複数の画像解析処理の結果のスコアの総合スコアを算出するものであり、
前記公開・非公開決定部は、前記画像解析部により算出された総合スコアに基づいて、前記各々の画像の公開、非公開を決定するものである請求項１に記載の画像公開装置。
【請求項３】
前記公開・非公開決定部は、前記総合スコアが所定値以上の画像を公開すると決定するものである請求項２に記載の画像公開装置。
【請求項４】
前記画像解析部は、前記画像解析処理として、前記各々の画像に撮影された人物の顔を検出する顔検出処理を実施するものであり、
前記公開・非公開決定部は、前記画像解析部による顔検出処理の結果に基づいて、前記各々の画像の公開、非公開を決定するものである請求項１に記載の画像公開装置。
【請求項５】
前記公開・非公開決定部は、前記画像解析部による顔検出処理の結果、人物が撮影されていない画像を公開、人物が撮影されている画像を非公開にすると決定するものである請求項４に記載の画像公開装置。
【請求項６】
前記画像解析部は、前記画像解析処理として、前記各々の画像に撮影された人物の笑顔を検出する笑顔検出処理を実施するものであり、
前記公開・非公開決定部は、前記画像解析部による笑顔検出処理の結果に基づいて、前記各々の画像の公開、非公開を決定するものである請求項４に記載の画像公開装置。
【請求項７】
さらに、自分自身が撮影された画像を公開したいユーザを登録する人物登録部を備え、
前記画像解析部は、前記画像解析処理として、前記各々の画像に撮影された人物を認識する人物認識処理を実施するものであり、
前記公開・非公開決定部は、前記画像解析部による人物認識処理の結果に基づいて、前記人物登録部にあらかじめ登録されたユーザが撮影された画像を公開すると決定するものである請求項４に記載の画像公開装置。
【請求項８】
前記画像解析部は、前記画像解析処理として、類似した画像を判定する類似画像判定処理を実施するものであり、
前記公開・非公開決定部は、前記画像解析部による類似画像判定処理の結果に基づいて、前記各々の画像の公開、非公開を決定するものである請求項１に記載の画像公開装置。
【請求項９】
前記画像解析部は、前記各々の画像に対する各々の画像解析処理の結果にスコアを付け、前記複数の画像解析処理の結果のスコアの総合スコアを算出するものであり、
前記公開・非公開決定部は、前記前記画像解析部により検出された複数の類似画像の中から、前記画像解析部により算出された総合スコアが最も高い画像を公開すると決定するものである請求項８に記載の画像公開装置。
【請求項１０】
前記画像解析部は、前記画像解析処理として、前記各々の画像の撮影日時に基づいて、前記画像をイベント毎に分類するイベント分類処理を実施するものであり、
前記公開・非公開決定部は、前記画像解析部によるイベント分類処理の結果に基づいて、同一イベントに含まれる複数の画像の中から１枚の画像を公開すると決定するものである請求項１に記載の画像公開装置。
【請求項１１】
前記画像解析部は、前記各々の画像に対する各々の画像解析処理の結果にスコアを付け、前記複数の画像解析処理の結果のスコアの総合スコアを算出するものであり、
前記公開・非公開決定部は、前記同一イベントに含まれる複数の画像の中から前記総合スコアが最も高い１枚の画像を公開すると決定するものである請求項１０に記載の画像公開装置。
【請求項１２】
前記画像解析部は、前記画像解析処理として、前記各々の画像に撮影された文字を認識する文字認識処理を実施するものであり、
前記公開・非公開決定部は、前記画像解析による文字認識処理の結果に基づいて、前記ユーザの個人情報を含む画像を非公開にすると決定するものである請求項１に記載の画像公開装置。
【請求項１３】
さらに、前記各々の画像に対して画像処理を実施する画像処理部を備え、
前記画像解析部は、前記画像処理部による画像処理後の画像に対して画像解析処理を実施するものである請求項１〜１２のいずれかに記載の画像公開装置。
【請求項１４】
前記画像処理部は、前記画像処理として、前記画像中に公開したくない部分が含まれている場合に、それ以外の公開してもよい部分を切り出すトリミング処理を実施するものである請求項１３に記載の画像公開装置。
【請求項１５】
前記画像処理部は、前記画像処理として、前記画像中に公開したくない部分が含まれている場合に、その部分の識別ができなくなるサイズに前記画像を縮小する縮小処理を実施するものである請求項１３に記載の画像公開装置。
【請求項１６】
前記画像処理部は、前記画像処理として、前記画像中に公開したくない部分が含まれている場合に、その部分にぼかし処理またはモザイク処理を施して画像を不鮮明化する不鮮明化処理を実施するものである請求項１３に記載の画像公開装置。
【請求項１７】
前記公開・非公開決定部は、前記各々の画像の公開・非公開の決定を、３段階以上の設定で決定するものである請求項１〜１６のいずれかに記載の画像公開装置。
【請求項１８】
前記公開・非公開決定部は、前記各々の画像の公開・非公開の設定を、不特定多数の人物に公開する一般公開、限定された人物にのみ公開する限定公開、非公開の３段階の設定で決定するものである請求項１７に記載の画像公開装置。
【請求項１９】
前記画像保存部、前記画像解析部、および、前記公開・非公開決定部は、通信機能を有する通信端末に実装されていることを特徴とする請求項１〜１８のいずれかに記載の画像公開装置。
【請求項２０】
前記通信端末は、前記公開・非公開決定部により公開すると決定された画像だけを、ネットワークを介して、画像を公開するためのサーバにアップロードするものであることを特徴とする請求項１９に記載の画像公開装置。
【請求項２１】
請求項１９または２０に記載の通信端末と、
前記通信端末からネットワークを介してアップロードされた画像を公開するためのサーバとを備えることを特徴とする画像公開システム。
【請求項２２】
通信機能を有する通信端末と、
前記通信端末とネットワークを介して接続された請求項１〜１８のいずれかに記載の画像公開装置とを備え、
前記画像保存部は、前記通信端末から前記ネットワークを介してアップロードされた画像を保存するものであることを特徴とする画像公開システム。
【請求項２３】
前記画像公開装置は、さらに、前記公開・非公開決定部による公開・非公開の決定に基づいて、前記各々の画像の公開・非公開を制御する公開・非公開制御部を備えることを特徴とする請求項２２に記載の画像公開システム。
【請求項２４】
前記公開・非公開決定部は、前記各々の画像の公開、非公開の情報をタグ情報として該各々の画像のＥｘｉｆデータとして追加するものであり、
前記公開・非公開制御部は、前記各々の画像のタグ情報に基づいて、該各々の画像の公開・非公開を制御するものである請求項２３に記載の画像公開システム。
【請求項２５】
前記通信端末は、前記公開・非公開決定部により公開するないし非公開にすると決定された画像を表示する表示部を有し、
前記公開・非公開決定部は、前記ユーザが、前記表示部に表示された公開するないし非公開にすると決定された画像を見て最終的に決定した各々の画像の公開・非公開の情報を前記タグ情報として格納するものである請求項２４に記載の画像公開システム。
【請求項２６】
さらに、前記ユーザの最終的な公開・非公開の決定の情報に基づいて、前記ユーザの嗜好を保存するデータベースを備え、
前記公開・非公開決定部は、前記データベースに保存されたユーザの嗜好に基づいて、前記各々の画像の公開・非公開を決定するものである請求項２５に記載の画像公開システム。
【請求項２７】
前記公開・非公開決定部は、前記タグ情報として、前記公開・非公開の情報に加えてユーザＩＤを格納するものであり、前記ユーザＩＤを利用して、第１のユーザが決定した公開・非公開の情報を、第２のユーザが変更できないように制御するものである請求項２４〜２６のいずれかに記載の画像公開システム。
【請求項２８】
前記通信端末は、該通信端末の位置情報を取得するＧＰＳの機能を有し、
前記公開・非公開決定部は、前記位置情報に基づいて、前記各々の画像の公開・非公開の条件を制限するものである請求項２２〜２７のいずれかに記載の画像公開システム。
【請求項２９】
ユーザが所有する画像を画像保存部に保存する画像保存ステップと、
前記画像保存部に保存された各々の画像に対して複数の画像解析処理を実施する画像解析ステップと、
前記画像解析ステップで各々の画像に対して実施された各々の画像解析処理の結果に基づいて、前記各々の画像の公開、非公開を決定する公開・非公開決定ステップとを備えることを特徴とする画像公開方法。
【請求項３０】
請求項２９に記載の画像公開方法の各々のステップをコンピュータに実行させるためのプログラム。
【請求項３１】
請求項２９に記載の画像公開方法の各々のステップをコンピュータに実行させるためのプログラムが記録されたコンピュータ読み取り可能な記録媒体。
【発明の詳細な説明】
【技術分野】
【０００１】
本発明は、各々のユーザが所有する画像の公開・非公開を自動で決定する画像公開装置、画像公開方法、画像公開システム、および、プログラムに関するものである。
【背景技術】
【０００２】
ＳＮＳ（ソーシャル・ネットワーキング・サービス）などの普及に伴い、サーバへの画像（写真等）のアップロード及び友人・家族との画像共有を行う機会も増えつつある。一方で画像共有を行う際には公開設定（自分が所有する画像の閲覧をどのユーザに対して許可するか）に注意しないと、例えば、プライベートな写真が不特定多数のユーザに対しても公開されてしまうという問題がある。
【０００３】
これに対し、例えば、各々の画像、もしくは、複数の画像をまとめたアルバム単位で公開・非公開の設定を行うことで対応は可能である。
【０００４】
例えば、特許文献１には、画像を顧客情報又は画像属性情報に応じて分類しておき、分類読出許可情報が示す分類に属する画像について第三者のアクセスを許可し、それ以外の分類に属する画像について第三者のアクセスを禁止する画像保存装置が記載されている。
【０００５】
また、特許文献２には、画像データのヘッダ部に、画像が保存された記録媒体または画像撮影端末自身のＩＤを付加してサーバ装置に送信しておき、利用者の画像閲覧端末からの閲覧要求で指定された閲覧条件に従い画像データに付加されたＩＤを検索し、閲覧条件に合致するＩＤが付加された画像データをサーバ装置から取得し、閲覧要求元の画像閲覧端末に送信するイベント画像公開システムが記載されている。
【先行技術文献】
【特許文献】
【０００６】
【特許文献１】特開２００３−１１５９７５号公報
【特許文献２】特開２００８−１９７９６８号公報
【発明の概要】
【発明が解決しようとする課題】
【０００７】
しかし、特許文献１では、各々の画像について、画像属性情報として、例えば、画像を第三者と共有するか否かの共有情報をユーザ自身が設定する必要がある。近年、携帯電話やスマートフォンを使って日常的に写真の撮影を行う機会も多くなっており、膨大な数の写真について、毎回、撮影した写真毎に公開・非公開の設定を行うのは、非常に手間がかかるという問題がある。
【０００８】
一方、特許文献２では、ユーザが所有する画像毎に画像の公開・非公開を設定できるため、ユーザ自身が画像毎に公開・非公開を設定する必要が無いという利点はあるが、画像毎に公開・非公開の制御をすることができないという欠点がある。
【０００９】
本発明の目的は、前記従来技術の問題点を解消し、各々の画像について、ユーザが公開・非公開の設定を行わなくても、公開・非公開を所定のルールに従って自動的に決定することができる画像公開装置、画像公開方法、画像公開システム、および、プログラムを提供することにある。
【課題を解決するための手段】
【００１０】
上記目的を達成するために、本発明は、ユーザが所有する画像を保存する画像保存部と、
画像保存部に保存された各々の画像に対して複数の画像解析処理を実施する画像解析部と、
画像解析部による各々の画像に対する各々の画像解析処理の結果に基づいて、各々の画像の公開、非公開を決定する公開・非公開決定部とを備えることを特徴とする画像公開装置を提供するものである。
【００１１】
ここで、画像解析部は、各々の画像に対する各々の画像解析処理の結果にスコアを付け、複数の画像解析処理の結果のスコアの総合スコアを算出するものであり、
公開・非公開決定部は、画像解析部により算出された総合スコアに基づいて、各々の画像の公開、非公開を決定するものであることが好ましい。
【００１２】
また、公開・非公開決定部は、総合スコアが所定値以上の画像を公開すると決定するものであることが好ましい。
【００１３】
また、画像解析部は、画像解析処理として、各々の画像に撮影された人物の顔を検出する顔検出処理を実施するものであり、
公開・非公開決定部は、画像解析部による顔検出処理の結果に基づいて、各々の画像の公開、非公開を決定するものであることが好ましい。
【００１４】
また、公開・非公開決定部は、画像解析部による顔検出処理の結果、人物が撮影されていない画像を公開、人物が撮影されている画像を非公開にすると決定するものであることが好ましい。
【００１５】
また、画像解析部は、画像解析処理として、各々の画像に撮影された人物の笑顔を検出する笑顔検出処理を実施するものであり、
公開・非公開決定部は、画像解析部による笑顔検出処理の結果に基づいて、各々の画像の公開、非公開を決定するものであることが好ましい。
【００１６】
さらに、自分自身が撮影された画像を公開したいユーザを登録する人物登録部を備え、
画像解析部は、画像解析処理として、各々の画像に撮影された人物を認識する人物認識処理を実施するものであり、
公開・非公開決定部は、画像解析部による人物認識処理の結果に基づいて、人物登録部にあらかじめ登録されたユーザが撮影された画像を公開すると決定するものであることが好ましい。
【００１７】
また、画像解析部は、画像解析処理として、類似した画像を判定する類似画像判定処理を実施するものであり、
公開・非公開決定部は、画像解析部による類似画像判定処理の結果に基づいて、各々の画像の公開、非公開を決定するものであることが好ましい。
【００１８】
また、画像解析部は、各々の画像に対する各々の画像解析処理の結果にスコアを付け、複数の画像解析処理の結果のスコアの総合スコアを算出するものであり、
公開・非公開決定部は、画像解析部により検出された複数の類似画像の中から、画像解析部により算出された総合スコアが最も高い画像を公開すると決定するものであることが好ましい。
【００１９】
また、画像解析部は、画像解析処理として、各々の画像の撮影日時に基づいて、画像をイベント毎に分類するイベント分類処理を実施するものであり、
公開・非公開決定部は、画像解析部によるイベント分類処理の結果に基づいて、同一イベントに含まれる複数の画像の中から１枚の画像を公開すると決定するものであることが好ましい。
【００２０】
また、画像解析部は、各々の画像に対する各々の画像解析処理の結果にスコアを付け、複数の画像解析処理の結果のスコアの総合スコアを算出するものであり、
公開・非公開決定部は、同一イベントに含まれる複数の画像の中から総合スコアが最も高い１枚の画像を公開すると決定するものであることが好ましい。
【００２１】
また、画像解析部は、画像解析処理として、各々の画像に撮影された文字を認識する文字認識処理を実施するものであり、
公開・非公開決定部は、画像解析による文字認識処理の結果に基づいて、ユーザの個人情報を含む画像を非公開にすると決定するものであることが好ましい。
【００２２】
さらに、各々の画像に対して画像処理を実施する画像処理部を備え、
画像解析部は、画像処理部による画像処理後の画像に対して画像解析処理を実施するものであることが好ましい。
【００２３】
また、画像処理部は、画像処理として、画像中に公開したくない部分が含まれている場合に、それ以外の公開してもよい部分を切り出すトリミング処理を実施するものであることが好ましい。
【００２４】
また、画像処理部は、画像処理として、画像中に公開したくない部分が含まれている場合に、その部分の識別ができなくなるサイズに画像を縮小する縮小処理を実施するものであることが好ましい。
【００２５】
また、画像処理部は、画像処理として、画像中に公開したくない部分が含まれている場合に、その部分にぼかし処理またはモザイク処理を施して画像を不鮮明化する不鮮明化処理を実施するものであることが好ましい。
【００２６】
また、公開・非公開決定部は、各々の画像の公開・非公開の決定を、３段階以上の設定で決定するものであることが好ましい。
【００２７】
また、公開・非公開決定部は、各々の画像の公開・非公開の設定を、不特定多数の人物に公開する一般公開、限定された人物にのみ公開する限定公開、非公開の３段階の設定で決定するものであることが好ましい。
【００２８】
また、画像保存部、画像解析部、および、公開・非公開決定部は、通信機能を有する通信端末に実装されていることが好ましい。
【００２９】
また、通信端末は、公開・非公開決定部により公開すると決定された画像だけを、ネットワークを介して、画像を公開するためのサーバにアップロードするものであることが好ましい。
【００３０】
また、本発明は、上記に記載の通信端末と、
通信端末からネットワークを介してアップロードされた画像を公開するためのサーバとを備えることを特徴とする画像公開システムを提供する。
【００３１】
また、本発明は、通信機能を有する通信端末と、
通信端末とネットワークを介して接続された上記のいずれかに記載の画像公開装置とを備え、
画像保存部は、通信端末からネットワークを介してアップロードされた画像を保存するものであることを特徴とする画像公開システムを提供する。
【００３２】
ここで、画像公開装置は、さらに、公開・非公開決定部による公開・非公開の決定に基づいて、各々の画像の公開・非公開を制御する公開・非公開制御部を備えることが好ましい。
【００３３】
また、公開・非公開決定部は、各々の画像の公開、非公開の情報をタグ情報として各々の画像のＥｘｉｆデータとして追加するものであり、
公開・非公開制御部は、各々の画像のタグ情報に基づいて、各々の画像の公開・非公開を制御するものであることが好ましい。
【００３４】
また、通信端末は、公開・非公開決定部により公開するないし非公開にすると決定された画像を表示する表示部を有し、
公開・非公開決定部は、ユーザが、表示部に表示された公開するないし非公開にすると決定された画像を見て最終的に決定した各々の画像の公開・非公開の情報をタグ情報として格納するものであることが好ましい。
【００３５】
さらに、ユーザの最終的な公開・非公開の決定の情報に基づいて、ユーザの嗜好を保存するデータベースを備え、
公開・非公開決定部は、データベースに保存されたユーザの嗜好に基づいて、各々の画像の公開・非公開を決定するものであることが好ましい。
【００３６】
また、公開・非公開決定部は、タグ情報として、公開・非公開の情報に加えてユーザＩＤを格納するものであり、ユーザＩＤを利用して、第１のユーザが決定した公開・非公開の情報を、第２のユーザが変更できないように制御するものであることが好ましい。
【００３７】
また、通信端末は、通信端末の位置情報を取得するＧＰＳの機能を有し、
公開・非公開決定部は、位置情報に基づいて、各々の画像の公開・非公開の条件を制限するものであることが好ましい。
【００３８】
また、本発明は、ユーザが所有する画像を画像保存部に保存する画像保存ステップと、
画像保存部に保存された各々の画像に対して複数の画像解析処理を実施する画像解析ステップと、
画像解析ステップで各々の画像に対して実施された各々の画像解析処理の結果に基づいて、各々の画像の公開、非公開を決定する公開・非公開決定ステップとを備えることを特徴とする画像公開方法を提供する。
【００３９】
また、本発明は、上記に記載の画像公開方法の各々のステップをコンピュータに実行させるためのプログラムを提供する。
【００４０】
また、本発明は、上記に記載の画像公開方法の各々のステップをコンピュータに実行させるためのプログラムが記録されたコンピュータ読み取り可能な記録媒体を提供する。
【発明の効果】
【００４１】
本発明によれば、各々の画像に対して、複数の画像解析処理の結果の総合スコア、顔検出処理の結果、類似画像判定処理の結果、イベント分類処理の結果等を含む、複数の画像解析処理を実施した結果に基づいて、各々の画像の公開・非公開を自動的に決定する。そのため、ユーザが各々の画像に対して公開・非公開の設定を行う必要がなく、各々のユーザが公開したい画像を、インターネット等のネットワークを介して他のユーザに公開（他のユーザと共有）することができる。
【図面の簡単な説明】
【００４２】
【図１】本発明の画像公開システムの構成を表す一実施形態の概略図である。
【図２】図１に示す画像管理サーバの構成を表すブロック図である。
【図３】図２に示す画像解析部で実施される画像解析処理を表す概念図である。
【図４】顔検出処理の様子を表す概念図である。
【図５】明るさ判定処理の様子を表す概念図である。
【図６】（Ａ）および（Ｂ）は、色評価処理の様子を表す概念図である。
【図７】イベント分類処理および類似画像判定処理の様子を表す概念図である。
【図８】（Ａ）および（Ｂ）は、画像から所定の部分を切り出す様子を表す概念図である。
【図９】（Ａ）および（Ｂ）は、人物が撮影された画像を縮小する様子を表す概念図である。
【発明を実施するための形態】
【００４３】
以下に、添付の図面に示す好適実施形態に基づいて、本発明の画像公開装置、画像公開方法、画像公開システム、および、プログラムを詳細に説明する。
【００４４】
まず、画像公開システムの構成について説明する。
【００４５】
図１は、本発明の画像公開システムの構成を表す一実施形態の概念図である。同図に示す画像公開システム１０は、各々のユーザが所有する画像を、インターネット等のネットワーク１６を介して他のユーザに公開（他のユーザと共有）するものであって、複数のユーザ通信端末１２ａ、１２ｂ、…（以下、代表的にユーザ通信端末１２ともいう）と、画像管理サーバ（画像公開装置）１４とによって構成されている。
【００４６】
ユーザ通信端末１２は、画像公開システム１０を利用する各々のユーザが使用するものであり、各々のユーザが所有する画像を、各々のユーザ通信端末１２ａ、１２ｂ、…からネットワーク１６を介して画像管理サーバ１４にアップロードしたり、画像管理サーバ１４にアップロードされた画像に対して閲覧要求をしてネットワーク１６を介して各々のユーザ通信端末１２ａ、１２ｂ、…にダウンロードし、各々のユーザが画像の閲覧等を行うためのものである。
【００４７】
ユーザ通信端末１２は、例えば、カメラやＧＰＳ（全地球測位システム）等の機能を有する携帯電話やスマートフォンなどのモバイル端末、あるいは、カメラ等から画像（写真）の画像データを取り込んで編集や閲覧等を行う機能を有するデスクトップＰＣ（パーソナルコンピュータ）、ノートＰＣ、タブレットＰＣ等である。ユーザ通信端末１２は、ネットワーク１６を介してユーザ通信端末１２と画像管理サーバ１４との間で画像のアップロード、ダウンロードを行う通信機能を備えている。
【００４８】
一方、画像管理サーバ１４は、各々のユーザ通信端末１２ａ、１２ｂ、…からネットワーク１６を介してアップロードされた画像の画像解析処理を行い、画像解析処理の結果に基づいて各々の画像の公開・非公開を決定するものであり、図２に示すように、画像保存部１８と、画像解析部２０と、公開・非公開決定部２２と、公開・非公開制御部２４と、人物登録部２６とを備えている。
【００４９】
画像保存部１８は、各々のユーザ通信端末１２ａ、１２ｂ、…からネットワーク１６を介してアップロードされた、ユーザが所有する画像（つまり、デジタルの画像データ）を保存するものである。
【００５０】
画像解析部２０は、各々の画像に対して複数の画像解析処理を実施し、各々の画像に対する各々の画像解析処理の結果にスコアを付け、複数の画像解析処理の結果のスコアの総合スコアを算出するものである。
画像解析部２０は、画像保存部１８に保存された各々の画像に対して画像解析処理を実施してもよいし、あるいは、例えば、ユーザ通信端末１２のカメラ機能により撮影された各々の画像等に対して画像解析処理を実施する場合もある。
【００５１】
人物登録部２６は、自分自身が撮影された画像を公開したい人物（ユーザ）を登録するものである。
【００５２】
なお、人物登録部２６を備えることは必須ではない。また、自分自身が撮影された画像を公開したくない人物を人物登録部２６に登録してもよいし、公開したい人物と公開したくない人物の両方を人物登録部２６に登録してもよい。
【００５３】
公開・非公開決定部２２は、画像解析部２０による各々の画像に対する各々の画像解析処理の結果、および、人物登録部２６に登録された人物（登録人物）の情報に基づいて、各々の画像の公開・非公開を決定するものである。
公開・非公開決定部２２は、画像保存部１８に保存された各々の画像の公開・非公開を決定してもよいし、あるいは、例えば、ユーザ通信端末１２のカメラ機能により撮影された各々の画像等の公開・非公開を決定する場合もある。
【００５４】
公開・非公開決定部２２は、本実施形態の場合、画像解析処理の結果、人物登録部２６に登録された人物が撮影された画像を公開すると決定する。一方、自分自身が撮影された画像を公開したくない人物が人物登録部２６に登録されている場合、公開・非公開決定部２２は、画像解析処理の結果、人物登録部２６に登録された人物が撮影された画像を非公開にすると決定する。
【００５５】
公開・非公開制御部２４は、各々のユーザ通信端末１２からの画像の閲覧要求に対して、公開・非公開決定部２２による公開・非公開の決定に基づいて、画像保存部１８に保存された各々の画像の公開・非公開を制御する、つまり、閲覧要求をしたユーザ通信端末１２が、閲覧要求した画像をダウンロードすることを許可するのか、許可しないのかを制御するものである。
【００５６】
次に、画像公開システム１０の概略動作について、本発明の画像公開方法に従って説明する。
【００５７】
図１および図２に示す画像公開システム１０では、各々のユーザが所有する画像が、各々のユーザが使用するユーザ通信端末１２ａ、１２ｂ、…からネットワーク１６を介して画像管理サーバ１４にアップロードされる。
【００５８】
画像管理サーバ１４では、各々のユーザ通信端末１２ａ、１２ｂ、…からアップロードされた画像が画像保存部１８に保存される。
【００５９】
そして、画像解析部２０により、画像保存部１８に保存された各々の画像に対して複数の画像解析処理が施され、公開・非公開決定部２２により、画像解析部２０による各々の画像に対する画像解析処理の結果、および、人物登録部２６に登録された人物の情報に基づいて、画像保存部１８に保存された各々の画像の公開・非公開が決定される。
【００６０】
その後、各々のユーザ通信端末１２ａ、１２ｂ、…から、画像管理サーバ１４にアップロードされた画像に対して閲覧要求があると、公開・非公開制御部２４により、公開・非公開決定部２２による公開・非公開の決定に基づいて、画像保存部１８に保存された各々の画像の公開・非公開が制御される。
【００６１】
公開・非公開制御部２４は、公開すると決定された画像を、閲覧要求をしたユーザ通信端末１２がダウンロードすることを許可する。この場合、ユーザは、閲覧要求をしたユーザ通信端末１２で画像を閲覧することができる。一方、公開・非公開制御部２４は、非公開にすると決定された画像を、閲覧要求をしたユーザ通信端末１２がダウンロードすることを許可しない。この場合、ユーザは、閲覧要求したユーザ通信端末１２で画像を閲覧することができない。
【００６２】
画像公開システム１０では、各々の画像に対して複数の画像解析処理を実施した結果に基づいて、各々の画像の公開・非公開を自動的に決定するため、ユーザが各々の画像に対して公開・非公開の設定を行う手間を省くことができる。
【００６３】
次に、画像解析部２０で実施される画像解析処理について説明する。
【００６４】
画像解析部２０では、図３に示すように、例えば、顔検出処理、明るさ判定処理、色評価処理、ボケブレ評価処理、イベント分類処理および類似画像判定処理を含む、複数の画像解析処理が実施される。
【００６５】
顔検出処理は、図４に枠線で示すように、画像の中に含まれる人物の顔（顔領域）の数、顔の大きさ、顔の向き、顔の位置等を検出する処理である。
画像解析部２０は、顔検出処理の結果、例えば、画像に含まれる顔の数が多い場合や、顔の大きさが大きい場合、顔が正面を向いている場合、顔が画像の中央部に配置されている場合等に重要度の高い画像であると判断し、顔検出処理の結果の評価としての顔スコアを高くする。
【００６６】
明るさ判定処理は、例えば、画像全体、もしくは、顔検出処理により検出された顔領域等の所定の領域について、画像の明るさの程度を評価する処理である。
画像解析部２０は、明るさ判定処理として、図５に示すように、例えば、顔検出処理により検出された顔領域の明るさを判定し、その結果、顔領域の明るさが適切な場合に、明るさ判定処理の結果の評価としての明るさスコアを１．０とし、明るすぎる場合や暗すぎる場合は明るさスコアを下げる。
【００６７】
なお、この方法では顔を含む画像の明るさスコアしか決定できないため、例えば、顔を含む画像は上記の通りに明るさスコアを決定し、顔を含まない画像は画像全体の明るさの判定結果に応じて明るさスコアを決定してもよい。
【００６８】
色評価処理は、例えば、画像全体、もしくは、顔領域等の所定の領域について、画像の色合いを評価する処理である。
画像解析部２０は、色評価処理の結果、図６に示すように、例えば、画像の色彩が鮮やかな場合に、色評価処理の結果の評価としての色スコアを比較的高くし、くすんでいたり、無色の場合は色スコアを比較的低くする。また、画像の露光が適切な場合に色スコアを比較的高くし、露光アンダーないしオーバーの場合は色スコアを比較的低くする。
【００６９】
ボケブレ評価処理は、画像におけるボケやブレの程度を評価する処理である。
画像解析部２０は、ボケブレ評価処理の結果、例えば、ボケブレがない場合に、ボケブレ評価処理の結果の評価としてのボケブレスコアを１．０とし、ボケブレの程度に応じてスコアを下げる。
【００７０】
イベント分類処理は、図７に示すように、各々の画像の撮影日時に基づいて、例えば、画像を誕生会や運動会等のイベント毎に分類（グルーピング）する処理であり、類似画像判定処理は、イベント毎等の複数の画像について、類似した画像を判定する処理である。
画像解析部２０は、イベント分類処理および類似画像判定処理の結果、例えば、画像枚数が多いイベントや、検出された顔の数が多いイベント、類似画像が多いイベント等を重要なイベントと判断し、イベント分類処理および類似画像判定処理の結果の評価としてのイベントスコアを高くする。
【００７１】
なお、類似画像判定処理は、イベント毎の画像について類似した画像を判定することに限らず、例えば、ユーザ毎、同時にアップロードされた画像毎など、任意のグループに含まれる画像について、類似画像を判定してもよい。
【００７２】
上記の各画像解析処理は従来公知のものであり、本発明においても従来公知の各画像解析処理方法を利用することができるため、その詳細な処理方法についての記載は省略する。また、画像解析部２０は、上記以外の画像解析処理を実施してもよい。
【００７３】
画像解析部２０では、図３に示すように、顔検出処理、明るさ判定処理、色評価処理、ボケブレ評価処理、イベント分類処理および類似画像判定処理等の各画像解析処理の結果に基づいて、それぞれ、顔スコア、明るさスコア、色スコア、ボケブレスコア、イベントスコアが、０．０〜１．０の範囲で決定され、これら複数の画像解析処理の結果のスコアの総合スコアが算出される。
【００７４】
なお、各画像解析処理の結果のスコアに対して所定の重み付け係数を乗算した結果を足し合わせて総合スコアを算出してもよい。本実施形態では、顔検出処理の結果のスコアに対する重み付けを最も大きくし、顔重み付け係数＝１．００、明るさ重み付け係数＝０．０５、色重み付け係数＝０．１０、ボケブレ重み付け係数＝０．０５、イベント重み付け係数＝０．２０として、下記式（１）により総合スコアが算出される。
【００７５】
総合スコア＝顔スコア＊顔重み付け係数＋明るさスコア＊明るさ重み付け係数＋色スコア＊色重み付け係数＋ボケブレスコア＊ボケブレ重み付け係数＊イベントスコア＊イベント重み付け係数  …  （１）
【００７６】
ここで、画像解析部２０による各画像解析処理の結果の一例を下記表１に示す。表１には、画像Ａ，Ｂ，Ｃ，Ｄ，…について、総合スコア、顔検出処理の結果、登録人物の有無、類似画像判定処理の結果、…が示されている。
表１の例では、画像Ａ，Ｃ，Ｄで顔が検出され、画像Ｃ，Ｄで登録人物が検出され、画像Ｃ，Ｄが類似画像であると判定されている。そして、各画像解析処理の結果から上記式（１）により総合スコアが算出され、総合スコアは高い方から順に画像Ｃ，Ｂ，Ａ，Ｄとなっている。
【００７７】
【表１】
2013191035.tif 000003
【００７８】
次に、公開・非公開決定部２２による各々の画像の公開・非公開の決定方法について説明する。
【００７９】
公開・非公開決定部２２では、例えば、総合スコア、顔検出処理の結果、類似画像判定処理の結果、イベント分類処理の結果等を含む、画像解析部２０による各画像解析処理の結果に基づいて、画像保存部１８に保存された各々の画像の公開・非公開が決定される。
【００８０】
総合スコアを利用して画像の公開・非公開を決定する場合、公開・非公開決定部２２は、例えば、画像の総合スコアが所定値以上である場合に、その画像を公開すると決定する。総合スコアが所定値以上である画像は、例えば、顔を含む画像や、明るさや色、ボケブレの程度等が良好な画像等の、重要度の高い画像であり、これらの公開に適した撮影内容の画像を公開すると決定する。
【００８１】
表１の例において、公開・非公開決定部２２は、総合スコアが５００点以上である場合に、その画像を公開すると決定する場合、総合スコアが５４５点の画像Ｂと７８３点の画像Ｃを公開すると決定する。
【００８２】
なお、総合スコアの所定値を何点にするかは任意である。また、公開・非公開決定部２２は、総合スコアが所定値以下の画像を公開すると決定してもよい。
【００８３】
顔検出処理の結果を利用する場合、公開・非公開決定部２２は、例えば、プライバシーを尊重して、人物が撮影された画像を非公開にすると決定し、人物が撮影されていない風景などの画像を公開すると決定する。
【００８４】
表１の例では、顔検出処理の結果が○のものは顔が検出された画像であり、×のものは顔が検出されなかった画像である。この場合、公開・非公開決定部２２は、顔検出処理の結果が×（風景画像）の画像Ｂを公開すると決定する。
【００８５】
なお、公開・非公開決定部２２は、人物が撮影された画像を公開すると決定してもよい。
【００８６】
例えば、画像解析部２０で笑顔検出処理（例えば、特開２００９−１０７７６号公報参照）を行って各々の画像に撮影された人物の笑顔を検出することにより、公開・非公開決定部２２は、笑顔検出処理の結果に基づいて、笑顔のように、顔の表情が良好な画像を公開すると決定し、目をつぶっているなどの、変な表情の画像を非公開にすると決定することもできる。
【００８７】
さらに、画像解析部２０で人物認識処理を実施して各々の画像に撮影された人物を認識することにより、公開・非公開決定部２２は、人物認識処理の結果に基づいて、自分自身が撮影された画像のように、人物登録部２６にあらかじめ登録された人物が撮影された画像を公開すると決定することもできるし、逆に、登録された人物が撮影された画像を非公開にすると決定することもできる。
【００８８】
本実施形態のように、自分自身が撮影された画像を公開したい人物が人物登録部２６に登録されている場合に、画像１にａさんとｂさんが撮影され、画像２にａさんとｃさんが撮影され、かつ、人物登録部にａさん、ｂさん、ｃさんが登録されていれば、画像１はａさんとｂさんだけに公開され（ａさんとｂさんだけが閲覧可能）、画像２はａさんとｃさんだけに公開される（ａさんとｃさんだけが閲覧可能）。
【００８９】
表１の例では、顔検出処理の結果が○で、かつ、人物認識処理の結果、人物登録部２６にあらかじめ登録された人物が存在する画像Ｃ，Ｄを公開すると決定する。
【００９０】
類似画像判定処理の結果を利用する場合、公開・非公開決定部２２は、例えば、複数の類似画像の中からお薦めの１枚の画像、例えば、総合スコアが最も高い画像のみを公開し、その他の画像を非公開にすると決定する。
【００９１】
表１の例では、類似画像である画像Ｃ，Ｄの中から、総合スコアが最も高い画像Ｃを公開すると決定する。
【００９２】
イベント分類処理の結果を利用する場合、公開・非公開決定部２２は、例えば、同一イベントに含まれる複数の画像の中から１枚の画像、例えば、総合スコアが最も高い画像のみを公開し、その他の画像を非公開にすると決定する。
【００９３】
また、画像解析部２０で文字認識処理を行って各々の画像に撮影された文字を認識することにより、公開・非公開決定部２２は、文字認識処理の結果に基づいて、個人情報に結びつく情報、例えば、車両のナンバープレート、住居の表札・名称・部屋番号等が画像に撮影されている場合に、その画像を非公開にすると決定することもできる。
【００９４】
さらに、画像に対して、トリミング処理、サイズ制御処理、不鮮明化処理の少なくとも１つを含む、画像処理を行う画像処理部を画像管理サーバ１４設け、画像処理部による画像処理後の画像に対して画像解析処理および公開・非公開の決定を実施してもよい。
【００９５】
画像処理部がトリミング処理を行う場合、画像中に公開したくない部分が含まれている場合に、それ以外の公開してもよい部分をトリミング処理により切り出し、切り出した画像に対して前述のように画像解析処理および公開・非公開の決定を行う。
【００９６】
図８（Ａ）に示すように、例えば、複数の人物が撮影された画像において、知らない人物が後ろに撮影されていた場合には、同図（Ｂ）に示すように、知らない人物以外の部分（図中点線で囲まれた部分）を切り出して、自分に関係のある人物のみが撮影された部分だけを公開する。
【００９７】
画像処理部がサイズ制御処理を行う場合、画像中に公開したくない部分が含まれている場合に、その部分の識別ができなくなるサイズに画像を縮小し、縮小した画像に対して前述のように画像解析処理および公開・非公開の決定を行う。
【００９８】
例えば、図９（Ａ）に示すように、人物、風景、風景、人物の画像がある場合に、人物が撮影された画像を公開したくない場合がある。この場合、単に非公開にするのではなくて、同図（Ｂ）に示すように、人物が撮影された画像を、人物の顔の識別ができなくなるサイズに縮小する。
【００９９】
画像処理部が不鮮明化処理を行う場合、画像中に公開したくない部分が含まれている場合に、その部分にぼかし処理やモザイク処理を施して画像を不鮮明化し、不鮮明化した画像に対して前述のように画像解析処理および公開・非公開の決定を行う。
【０１００】
上記のいずれかの処理により、画像中に公開したくない部分が含まれている場合であっても、画像を公開することが可能となり、画像を有効に利用することができる。
【０１０１】
また、公開・非公開決定部２２は、各々の画像の公開・非公開の決定を、公開と非公開の２段階ではなく、３段階以上の設定で決定してもよい。
【０１０２】
公開・非公開の設定を、例えば、一般公開（不特定多数の人物に公開）、限定公開（友人等の限定された人物にのみ公開）、非公開の３段階に設定する場合、総合スコアが高得点の画像（総合スコアが第１の所定値以上の画像）を一般公開し、中得点の画像（総合スコアが第１の所定値〜第２の所定値（第１の所定値＞第２の所定値）の画像）を限定公開、低得点の画像（総合スコアが第２の所定値以下の画像）を非公開に設定すると決定することができる。
【０１０３】
また、公開・非公開決定部２２は、各々の画像の公開・非公開の情報をタグ情報として各々の画像の画像データ、例えば、画像データのヘッダ部のＥｘｉｆデータ等に追加することにより、公開・非公開制御部２４は、各々の画像のタグ情報に基づいて、各々の画像の公開・非公開を制御することができる。
【０１０４】
タグ情報として格納する公開・非公開の情報は、公開・非公開決定部２２により決定されたものでもよいし、あるいは、ユーザによりカメラやビューアソフトなどで設定された公開・非公開の情報でもよい。例えば、タッチパネル付きのカメラで画像を撮影した後のプレビュー時に、ユーザ自身がタッチパネル上のボタン操作で各々の画像の公開・非公開を手動で設定したり、カメラのデフォルト設定として各々の画像の公開・非公開を固定設定することができる。
【０１０５】
また、画像の撮影時に、画像解析処理の結果から、公開すると決定した画像や非公開にすると決定した画像をカメラ等（ユーザ通信端末１２）の表示部に表示し、ユーザが各々の画像の公開・非公開を最終的に決定するためのユーザ操作のアシストを行うこともできる。この場合、ユーザは、表示部に表示された、公開・非公開決定部２２により公開すると決定した画像や非公開にすると決定した画像を見て、最終的に公開するか非公開とするかを決定し、公開・非公開決定部２２は、ユーザが最終的に決定した各々の画像の公開・非公開の情報をタグ情報として格納する。
【０１０６】
また、上記のユーザの最終的な公開・非公開の決定の情報に基づいて、公開・非公開に関するユーザの嗜好をデータベースに保存してもよい。公開・非公開決定部２２は、データベースに記憶されたユーザの嗜好に基づいて、ユーザの嗜好に合わせて各々の画像の公開・非公開の決定を自動化することができる。
【０１０７】
また、タグ情報として、公開・非公開の情報に加えてユーザＩＤを格納してもよい。例えば、カメラのシリアルナンバーや製造番号、ビューアソフト、ストレージの情報などの一意の値をユーザＩＤとして、ＳＮＳサイトにアップロードされる画像のタグ情報として格納する。タグ情報に含まれるユーザＩＤを利用することにより、例えば、自分（第１のユーザ）のカメラなどで設定した公開・非公開の情報を、他人（第２のユーザ）のビューアソフトなどで編集（変更）できないように制御することができる。
【０１０８】
ここで、スマートフォンやタブレットＰＣなどのモバイル端末（ユーザ通信端末１２）で画像を閲覧（公開）する際、外出時には、例えば、プライベートな画像は他人に見られたくないなど、周囲の目が気になる場合がある。この問題は、ネットワーク１６を介して画像管理サーバ１４からモバイル端末にダウンロードした画像に限らず、モバイル端末のストレージ（記憶装置）に保存された画像についても同様のことが当てはまる。
【０１０９】
この問題に対応するために、モバイル端末が備えるＧＰＳの機能を利用して取得したＧＰＳ情報からモバイル端末の位置情報、つまり、ユーザの位置情報を取得し、ユーザの位置情報に基づいて各々の画像の公開・非公開の条件（公開条件）を制限してもよい。
【０１１０】
ユーザの位置情報に基づいて、各々の画像の公開条件を制限する場合、例えば、自宅からアクセスした場合には全画像を公開し（制限無し）、外出時には、モバイル端末における画像の公開条件を厳しくするように制限（閲覧制限）する。
【０１１１】
また、場所によって画像の公開条件を変更してもよい。例えば、電車内などのように、不特定多数の人物が周囲にいる場所では、モバイル端末での画像の閲覧制限を大きくする（画像の公開条件を厳しくする）。一方、友人宅や、公園、車内などの知人しか周囲にいない場所では、閲覧制限を小さくする（画像の公開条件を緩くする）。そして、自宅のようなプライベートな場所では閲覧制限無しとする。
【０１１２】
ここで、位置情報による閲覧制限の切り換えの一例を下記表２に示す。表２には、自分（自分のモバイル端末）と自分以外（自分以外の人物のモバイル端末）について、自宅、友人宅、電車内での閲覧制限（画像の公開条件）の切り換え例が示されている。
【０１１３】
【表２】
2013191035.tif 000004
【０１１４】
表２の例では、自分が（自分のモバイル端末で）画像を閲覧する場合、自宅では閲覧制限は無く、全画像を公開する。友人宅では、閲覧制限を小に設定し、例えば、友人宅の位置情報と友人の顔の情報とを関連付けて登録しておき、総合スコアが５００点以上で、顔が検出された画像のうち、登録された人物（例えば、友人）が撮影された画像を公開する。電車内では、閲覧制限を中に設定し、例えば、総合スコアが８００点以上で、顔が検出されていない画像を公開する。
【０１１５】
一方、自分以外の人物が（自分以外の人物のモバイル端末で）自分の画像を閲覧する場合、自宅に来る人物は、ある程度知り合いと考えられるため、閲覧制限を小に設定し、例えば、総合スコアが５００点以上で、顔が検出された画像のうち、非公開に指定されている人物が撮影された画像以外の画像を公開する。また、例えば、友人宅では閲覧制限を中に設定し、電車内では閲覧制限を大に設定する。
【０１１６】
また、小学校や塾など、任意の公開エリア（公開を許可するエリア）を設定可能としてもよい。例えば、公開エリアとして小学校を設定した場合、自分（例えば、小学生）が小学校にいる間だけ特定の画像を公開すると決定する。これにより、自分がいる場所、すなわち、自分の周りにいる友人に応じて、公開する画像を変更するなどの制御を行うことができる。なお、非公開エリア（公開を許可しないエリア）を設定してもよい。
【０１１７】
また、位置情報に加えて表示サイズを変更してもよい。例えば、スマートフォンは表示画面が小さいが、タブレットＰＣはスマートフォンよりも表示画面が大きいので、より周囲の人物に閲覧中の画像を見られる可能性が高くなる。この問題に対応するために、モバイル端末の画面の表示サイズに応じて閲覧制限の設定（画像の公開条件）を変更してもよい。例えば、表示サイズが大きい場合には閲覧制限を大に設定し、表示サイズが小さい場合には閲覧制限を小に設定する。
【０１１８】
以上のように、画像公開システム１０では、複数の画像解析処理の結果の総合スコア、顔検出処理の結果、類似画像判定処理の結果、イベント分類処理の結果等を含む、複数の画像解析処理の結果に基づいて、各々の画像の公開、非公開を自動で決定する。従って、ユーザが各々の画像に対して公開・非公開の設定を行う必要がなく、各々のユーザが公開したい画像を、インターネット等のネットワーク１６を介して他のユーザに公開（他のユーザと共有）することができる。
【０１１９】
なお、上記実施形態では、画像管理サーバ１４が、画像保存部１８、画像解析部２０、公開・非公開決定部２２、公開・非公開制御部２４、人物登録部２６等を備えているが、これに限定されず、例えば、画像保存部１８、画像解析部２０、公開・非公開決定部２２、人物登録部２６等は、ユーザ通信端末１２に実装されていてもよいし、ユーザ通信端末１２や画像管理サーバ１４以外の他の装置、サーバ等に備えられていてもよい。
【０１２０】
例えば、画像保存部１８、画像解析部２０、公開・非公開決定部２２がユーザ通信端末１２に実装されていれば、ユーザ通信端末１２において、各々の画像の公開・非公開を決定することができる。従って、ユーザ通信端末１２は、公開・非公開決定部２２により公開すると決定された画像だけを、ユーザ通信端末１２から、ネットワーク１６を介して、画像を公開するための公知のサーバ等にアップロードして公開することができる。
【０１２１】
本発明の画像公開方法は、例えば、画像公開方法の各々のステップをコンピュータに実行させるためのプログラムにより実施することが可能である。このプログラムは、例えば、コンピュータ読み取り可能な記録媒体に記録して提供することができる。
【０１２２】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【０１２３】
１０  画像公開システム
１２  ユーザ通信端末
１４  画像管理サーバ
１６  ネットワーク
１８  画像保存部
２０  画像解析部
２２  公開・非公開決定部
２４  公開・非公開制御部
２６  人物登録部
【図１】
2013191035.tif 000005
【図２】
2013191035.tif 000006
【図３】
2013191035.tif 000007
【図４】
2013191035.tif 000008
【図７】
2013191035.tif 000009
【図８】
2013191035.tif 000010
【図９】
2013191035.tif 000011
【図５】
2013191035.tif 000012
【図６】
2013191035.tif 000013